【手続補正書】
【提出日】平成23年7月13日(2011.7.13)
【手続補正１】
【補正対象書類名】特許請求の範囲
【補正対象項目名】全文
【補正方法】変更
【補正の内容】
【特許請求の範囲】
【請求項１】
担体の内面上に形成された少なくとも１層の触媒層を備え、
前記触媒層は触媒粉末を含み、前記触媒粉末が、
貴金属と、
前記貴金属のアンカー材として貴金属を担持する第１の化合物と、
前記貴金属を担持した第１の化合物の周囲を覆い、かつ、当該貴金属を担持した第１の化合物を他の貴金属を担持した第１の化合物と離隔する第２の化合物と、
からなり、
前記触媒粉末は、細孔径が0.1μｍ以下の範囲の第１の細孔を有し、
前記触媒層は、前記触媒粉末間に、細孔径が0.1μｍ〜1μｍの範囲の第２の細孔を有し、
前記触媒層における細孔径が1μｍ以下の細孔のうち、0.1μｍ〜1μｍの範囲の第２の細孔の細孔容積が10％〜60％であることを特徴とする排気ガス浄化用触媒。
【請求項２】
前記触媒層の細孔径が0.1μｍ以下の第１の細孔の細孔容積をＡとし、0.1μｍ〜1μｍの範囲の第２の細孔の細孔容積をＢとしたとき、Ｂ／Ａ≧0.1であることを特徴とする請求項１に記載の排気ガス浄化用触媒。
【請求項３】
前記触媒層の細孔径が0.1μｍ以下の第１の細孔の細孔容積をＡとし、0.1μｍ〜1μｍの範囲の第２の細孔の細孔容積をＢとしたとき、Ｂは細孔径が1μｍ以下の細孔容積の20％〜60％であることを特徴とする請求項１又は請求項２に記載の排気ガス浄化用触媒。
【請求項４】
前記触媒層の細孔径が0.1μｍ以下の第１の細孔の細孔容積をＡとし、0.1μｍ〜1μｍの範囲の第２の細孔の細孔容積をＢとしたとき、Ｂは細孔径が1μｍ以下の細孔容積の30％〜50％であることを特徴とする請求項１又は請求項２に記載の排気ガス浄化用触媒。
【請求項５】
前記触媒粉末の細孔容積が、0.24ｃｍ3／ｇ以上、0.8ｃｍ3／ｇ以下であることを特徴とする請求項１ないし請求項４のいずれか１項に記載の排気ガス浄化用触媒。
【請求項６】
前記触媒粉末の第１の化合物は、CeO2が70wt％〜85wt％と、ZrO2が15wt％〜30wt％とからなることを特徴とする請求項１ないし請求項５のいずれか１項に記載の排気ガス浄化用触媒。
【請求項７】
前記触媒粉末の第１の化合物は、ZrO2が90wt％〜99wt％と、La2O3が1wt％〜10wt％とからなることを特徴とする請求項１ないし請求項５のいずれか１項に記載の排気ガス浄化用触媒。
【請求項８】
前記触媒粉末の第２の化合物は、アルミナよりなることを特徴とする請求項１ないし請求項７のいずれか１項に記載の排気ガス浄化用触媒。
【請求項９】
前記触媒粉末の第２の化合物は、CeO2を5wt％〜15wt％、ZrO2を3wt％〜10wt％含有するアルミナであることを特徴とする請求項１ないし請求項７のいずれか１項に記載の排気ガス浄化用触媒。
【請求項１０】
前記触媒粉末の第２の化合物は、La2O3を3wt％〜10wt％含有するアルミナであることを特徴とする請求項１ないし請求項７のいずれか１項に記載の排気ガス浄化用触媒。
【請求項１１】
前記触媒粉末の貴金属が、Pt、Pd及びRhから選ばれる少なくとも１種であることを特徴とする請求項１ないし請求項１０のいずれか１項に記載の排気ガス浄化用触媒。
【請求項１２】
前記触媒層が担体の内面上に複数層形成されていることを特徴とする請求項１ないし請求項１１のいずれか１項に記載の排気ガス浄化用触媒。
【請求項１３】
前記触媒層よりも担体の内面側に、貴金属を含まない下地層を備えることを特徴とする  、請求項１２に記載の排気ガス浄化用触媒。
【請求項１４】
前記下地層がアルミナ及び炭化水素吸着性化合物の少なくとも１種よりなることを特徴とする請求項１３に記載の排気ガス浄化用触媒。
【請求項１５】
前記複数層の触媒層のうち、担体の内面側の触媒層の触媒粉末は、貴金属がPt及びPdの少なくとも１種であり、第１の化合物がCeO2が70wt％〜85wt％と、ZrO2が15wt％〜30wt％とからなるものであり、第２の化合物がCeO2を5wt％〜15wt％、ZrO2を3wt％〜10wt％含有するアルミナであることを特徴とする請求項１２ないし請求項１４のいずれか１項に記載の排気ガス浄化用触媒。
【請求項１６】
前記複数層の触媒層のうち、担体の内面側の触媒層の触媒粉末は、貴金属がPt及びPdの少なくとも１種であり、第１の化合物がCeO2が70wt％〜85wt％と、ZrO2が15wt％〜30wt％とからなるものであり、第２の化合物がLa2O3を3wt％〜10wt％含有するアルミナであることを特徴とする請求項１２ないし請求項１４のいずれか１項に記載の排気ガス浄化用触媒。
【請求項１７】
前記複数層の触媒層のうち、表側の触媒層の触媒粉末は、貴金属がRhであり、第１の化合物がZrO2が90wt％〜99wt％と、La2O3が1wt％〜10wt％とからなるものであり、第２の化合物がアルミナであることを特徴とする請求項１２ないし請求項１４のいずれか１項に記載の排気ガス浄化用触媒。
【請求項１８】
前記複数層の触媒層のうち、表側の触媒層の触媒粉末は、貴金属が担持された第１の化合物が40wt％〜75wt％、第２の化合物が25wt％〜60wt％であることを特徴とする請求項１７に記載の排気ガス浄化用触媒。
【請求項１９】
請求項１〜１８のいずれか１項に記載の排気ガス浄化用触媒を製造する方法であって、
触媒粉末を調製する工程と、前記触媒粉末を含む触媒層を担体の内面上に形成する工程とを有し、
前記触媒粉末を調製する工程は、
第１の化合物に貴金属を担持する工程と、
第２の化合物又は第２の化合物の前駆体を水に分散させスラリー化する工程と、
前記第２の化合物のスラリーに、貴金属を担持した第１の化合物を分散させ、乾燥後焼成し触媒粉末を得る工程とを有し、
前記触媒層を担体の内面上に形成する工程は、
得られた触媒粉末に、焼成時に消失する化合物を加えて、スラリー化し、担体にコーティング後、乾燥、焼成して、触媒層の細孔のうち、0.1μｍ〜1μｍの領域に細孔を有する触媒層となす工程を有することを特徴とする排気ガス浄化用触媒の製造方法。
【手続補正２】
【補正対象書類名】明細書
【補正対象項目名】００１０
【補正方法】変更
【補正の内容】
【００１０】
本発明に係る排気ガス浄化用触媒は、担体の内面上に形成された少なくとも１層の触媒層を備え、前記触媒層は触媒粉末を含み、前記触媒粉末が、貴金属と、前記貴金属のアンカー材として貴金属を担持する第１の化合物と、前記貴金属を担持した第１の化合物の周囲を覆い、かつ、当該貴金属を担持した第１の化合物を他の貴金属を担持した第１の化合物と離隔する第２の化合物と、からなり、前記触媒粉末は、細孔径が0.1μｍ以下の範囲の第１の細孔を有し、前記触媒層は、前記触媒粉末間に、細孔径が0.1μｍ〜1μｍの範囲の第２の細孔を有し、前記触媒層の細孔径が1μｍ以下の細孔のうち、0.1μｍ〜1μｍの範囲の第２の細孔の細孔容積が10％〜60％であることを要旨とする。
【手続補正３】
【補正対象書類名】明細書
【補正対象項目名】００１１
【補正方法】変更
【補正の内容】
【００１１】
また、本発明に係る排気ガス浄化用触媒の製造方法は、上記本発明に係る排気ガス浄化用触媒を製造する方法であって、触媒粉末を調製する工程と、前記触媒粉末を含む触媒層を担体の内面上に形成する工程とを有し、前記触媒粉末を調製する工程は、第１の化合物に貴金属を担持する工程と、第２の化合物又は第２の化合物の前駆体を水に分散させスラリー化する工程と、前記第２の化合物のスラリーに、貴金属を担持した第１の化合物を分散させ、乾燥後焼成し触媒粉末を得る工程とを有し、前記触媒層を担体の内面上に形成する工程は、得られた触媒粉末に、焼成時に消失する化合物を加えて、スラリー化し、担体にコーティング後、乾燥、焼成して、触媒層の細孔のうち、0.1μｍ〜1μｍの領域に細孔を有する触媒層となす工程を有することを要旨とする。
【手続補正４】
【補正対象書類名】明細書
【補正対象項目名】００４９
【補正方法】変更
【補正の内容】
【００４９】
実施例１〜８は、担体上に形成された触媒層の0.1μｍ〜1μｍの細孔の比率が種々に異なる例である。